(57)【特許請求の範囲】
【請求項１】
複数の誘電体層が積層されて、互いに対向する第１および第２の主面と前記第１および第２の主面間を連結する、互いに対向する第１および第２の端面と前記第１および第２の端面間を連結する、互いに対向する第１および第２の側面とを有する略直方体状の積層体と、
前記積層体内の前記複数の誘電体層の積層方向に間隔をおいて配置されており、前記第１の端面および前記第２の端面の少なくとも一方に引き出された複数の信号用内部電極と、
積層方向に配置された前記信号用内部電極の間に配置されており、前記積層体内の同一平面内で間隔を介して互いに対向するとともに、前記第１の側面および前記第２の側面への引出部を有する第１の接地用内部電極および第２の接地用内部電極を含む一対の接地用内部電極と、
前記第１の側面および前記第２の側面に配置されており、前記接地用内部電極に電気的に接続された接地用外部端子と、
前記第１の端面および前記第２の端面にそれぞれ配置されており、前記信号用内部電極に電気的に接続された一対の外部電極と、を備えており、
前記信号用内部電極は、対向する前記第１の接地用内部電極の端部と前記第２の接地用電極の端部との間の領域に対応する部分が前記第１の主面から前記第２の主面の方向に向かって凹んでおり、
前記一対の接地用内部電極は、対向するそれぞれの前記端部が前記第２の主面側に位置する前記信号用内部電極に近づくように前記第２の主面に向かって傾いていることを特徴とする積層型コンデンサ。
【請求項２】
前記一対の接地用内部電極は、前記端部の両側の角部が前記端部の辺部よりもさらに前記信号用内部電極に近づくように前記第２の主面に向かって傾いていることを特徴とする請求項１に記載の積層型コンデンサ。
【発明の詳細な説明】
【技術分野】
【０００１】
本発明は、高周波領域での等価直列インダクタンス（ＥＳＬ）を低減した、ノイズフィルタ等に用いられる積層型コンデンサに関するものである。
【背景技術】
【０００２】
近年、情報処理機器または通信機器等はデジタル化されており、これらの機器は情報処理能力の高速化に伴って取り扱われるデジタル信号の高周波数化が進んでいる。したがって、これらの機器は、発生するノイズも同様に高周波数領域で増大する傾向にあり、ノイズ対策のために、例えば、積層型コンデンサ等の電子部品が使用されている。このような積層型コンデンサは、例えば、特許文献１に開示されているものがある。
【先行技術文献】
【特許文献】
【０００３】
【特許文献１】特開２００５−４４８７１号公報
【発明の概要】
【発明が解決しようとする課題】
【０００４】
このように、積層型コンデンサは、例えば、ＣＰＵ等のＬＳＩの電源回路等において、電源ラインまたは他のデバイスからＬＳＩにノイズが入り込むことを抑制するために、または、ＬＳＩの誤動作等を抑制するために用いられている。
【０００５】
しかしながら、情報処理機器または通信機器等は、高周波数化の傾向がさらに増加しつつあり、積層型コンデンサは、高周波数領域でのノイズ、例えば、信号ラインまたは電源ライン等の高周波数域のノイズを低減するために、ＥＳＬをさらに低減しなければならない。
【０００６】
本発明は、上記の問題点に鑑みてなされたものであり、その目的は、ＥＳＬを低くすることができる積層型コンデンサを提供することにある。
【課題を解決するための手段】
【０００７】
本発明の積層型コンデンサは、複数の誘電体層が積層されて、互いに対向する第１およ
び第２の主面と前記第１および第２の主面間を連結する、互いに対向する第１および第２の端面と前記第１および第２の端面間を連結する、互いに対向する第１および第２の側面とを有する略直方体状の積層体と、前記積層体内の前記複数の誘電体層の積層方向に間隔をおいて配置されており、前記第１の端面および前記第２の端面の少なくとも一方に引き出された複数の信号用内部電極と、積層方向に配置された前記信号用内部電極の間に配置されており、前記積層体内の同一平面内で間隔を介して互いに対向するとともに、前記第１の側面および前記第２の側面への引出部を有する第１の接地用内部電極および第２の接地用内部電極を含む一対の接地用内部電極と、前記第１の側面および前記第２の側面に配置されており、前記接地用内部電極に電気的に接続された接地用外部端子と、
前記第１の端面および前記第２の端面にそれぞれ配置されており、前記信号用内部電極に電気的に接続された一対の外部電極と、を備えており、前記信号用内部電極は、対向する前記第１の接地用内部電極の端部と前記第２の接地用電極の端部との間の領域に対応する部分が前記第１の主面から前記第２の主面の方向に向かって凹んでおり、前記一対の接地用内部電極は、対向するそれぞれの前記端部が前記第２の主面側に位置する前記信号用内部電極に近づくように前記第２の主面に向かって傾いていることを特徴とするものである。
【発明の効果】
【０００８】
本発明の積層型コンデンサによれば、対向する接地用内部電極の端部を信号用内部電極に近づかせることによってＥＳＬを低くすることができる。
【図面の簡単な説明】
【０００９】
【図１】実施の形態に係る積層型コンデンサを示す概略の斜視図である。
【図２】（ａ）は、図１に示す積層型コンデンサのＡ−Ａ線で切断した断面図であり、（ｂ）は、図１に示す積層型コンデンサの他の例のＡ−Ａ線で切断した断面図である。
【図３】図１に示す積層型コンデンサの概略の分解斜視図である。
【図４】（ａ）は、図２（ａ）に示す積層型コンデンサの要部Ｂの拡大図であり、（ｂ）は、信号用内部電極および接地用内部電極の配設状態を説明するための説明図である。
【図５】図１に示す積層型コンデンサの他の例の信号用内部電極および接地用内部電極の配設状態を説明するための説明図である。
【図６】図１に示す積層型コンデンサの他の例の概略の分解斜視図である。
【発明を実施するための形態】
【００１０】
＜実施の形態１＞
以下、本発明の実施の形態１に係る積層型コンデンサ１０について図面を参照しながら説明する。
【００１１】
図１は、本発明の実施の形態に係る積層型コンデンサ１０を示す概略の斜視図であり、図２（ａ）は図１に示している積層型コンデンサ１０のＡ−Ａ線で切断した断面図である。また、積層型コンデンサ１０は、いずれの方向が上方もしくは下方とされてもよいものであるが、便宜的に、直交座標系ＸＹＺを定義するとともに、Ｚ方向の正側を上方として、上面もしくは下面の用語を用いるものとする。
【００１２】
積層型コンデンサ１０は、図１乃至図４に示すように、積層体１と、信号用内部電極２と、一対の接地用内部電極３（第１の接地用内部電極３ａと第２の接地用内部電極３ｂ）と、接地用外部端子４と、一対の外部電極５（第１の外部電極５ａと第２の外部電極５ｂ）とを備えている。
【００１３】
積層体１は、複数の誘電体層１ｇが積層されて略直方体状に形成されており、互いに対向する第１および第２の主面１ａ、１ｂと互いに対向する第１および第２の端面１ｃ、１ｄと互いに対向する第１および第２の側面１ｅ、１ｆとを有している。そして、互いに対向する第１および第２の端面１ｃ、１ｄは、第１および第２の主面１ａ、１ｂ間を連結しており、また、互いに対向する第１および第２の側面１ｅ、１ｆは、第１および第２の主面１ａ、１ｂ間および第１および第２の端面１ｃ、１ｄ間を連結している。なお、略直方体状とは、立方体形状または直方体形状のみならず、例えば、立方体または直方体の稜線部分に面取りが施されて稜部がＲ形状となるものを含んでいる。
【００１４】
積層体１は、誘電体層１ｇとなるセラミックグリーンシートを複数枚積層して焼成することで得られる焼結体である。このように、積層体１は、略直方体状に形成されており、互いに対向する第１の主面１ａおよび第２の主面１ｂと、第１の主面１ａおよび第２の主面１ｂに直交しており、互いに対向する第１の端面１ｃおよび第２の端面１ｄと、第１の端面１ｃおよび第２の端面１ｄに直交しており、互いに対向する第１の側面１ｅおよび第２の側面１ｆとを有している。また、積層体１は、誘電体層１ｇの積層方向（Ｚ方向）に対して、直交する方向の断面（ＸＹ面）となる平面が長方形状となっている。また、積層型コンデンサ１０は、積層体１の各稜線部が丸みを有していてもよい。
【００１５】
このような構成の積層型コンデンサ１０の寸法は、長手方向（Ｙ方向）の長さが、例えば、０．６（ｍｍ）〜２．２（ｍｍ）、短手方向（Ｘ方向）の長さが、例えば、０．３（ｍｍ）〜１．５（ｍｍ）、高さ方向（Ｚ方向）の長さが、例えば、０．３（ｍｍ）〜１．
２（ｍｍ）である。
【００１６】
誘電体層１ｇは、平面視において長方形状であり、１層当たりの厚みが、例えば、０．５（μｍ）〜３．０（μｍ）である。積層体１は、例えば、１０（層）〜１０００（層）からなる複数の誘電体層１ｇがＺ方向に積層されている。
【００１７】
誘電体層１ｇは、例えば、チタン酸バリウム（ＢａＴｉＯ３）、チタン酸カルシウム（ＣａＴｉＯ３）、チタン酸ストロンチウム（ＳｒＴｉＯ３）またはジルコン酸カルシウム（ＣａＺｒＯ３）等である。また、誘電体層１ｇは、高い誘電率の点から、特に、誘電率の高い強誘電体材料としてチタン酸バリウムを用いることが好ましい。
【００１８】
複数の信号用内部電極２は、積層体１内に形成されており、積層方向からの平面視において長方形状であり、また、積層体１内の複数の誘電体層１ｇの積層方向に間隔をおいて配置されており、第１の端面１ｃおよび第２の端面１ｄの少なくとも一方の端面に引き出されている。
【００１９】
また、信号用内部電極２は、図２（ａ）および図３では、Ｙ方向の両端部が第１の端面１ｃおよび第２の端面１ｄに露出するように、第１の端面１ｃおよび第２の端面１ｄにそれぞれ引き出されている。すなわち、信号用内部電極４は、Ｘ方向の端部が第１の側面１ｅおよび第２の側面１ｆに対して内側に位置するように設けられており、Ｙ方向の端部が第１の端面１ｃおよび第２の端面１ｄのそれぞれに露出するようにＹ方向に延びて積層体１内に配置されている。すなわち、信号用内部電極２は、第１の端面１ｃおよび第２の端面１ｄに露出するとともに、第１の側面１ｅおよび第２の側面１ｆに露出しないように設けられている。また、積層体１内の信号用内部電極２の積層数は、積層型コンデンサ１０の特性等に応じて適宜設計される。
【００２０】
このように、複数の信号用内部電極２は、積層体１内の複数の誘電体層１ｇの積層方向に所定間隔をおいて配置されており、積層体１の第１の主面１ａおよび第２の主面１ｂに略平行となるようにそれぞれ設けられている。そして、積層型コンデンサ１０において、信号用内部電極２は、図２（ａ）に示すように、誘電体層１ｇ間に配置されて、一方の端部が第１の端面１ｃに引き出されており、他方の端部が第１の端面１ｃに対向する第２の端面１ｄに引き出されている。
【００２１】
信号用内部電極２の導電材料は、例えば、ニッケル（Ｎｉ）、銅（Ｃｕ）、銀（Ａｇ）、パラジウム（Ｐｄ）または金（Ａｕ）等の金属材料、あるいは、これらの金属材料の一種以上を含む、例えば、Ａｇ−Ｐｄ合金等の合金材料である。また、信号用内部電極２は、電極の厚みが、例えば、０．５（μｍ）〜２（μｍ）であり、用途に応じて厚みを適宜設定すればよい。
【００２２】
一対の接地用内部電極３は、図２（ａ）に示すように、第１の接地用内部電極３ａと第２の接地用内部電極３ｂとからなり、積層方向において信号用内部電極２の間に配置されており、信号用内部電極２に略平行となるように対向するとともに、積層体１内の同一平面内に所定間隔を介して互いに対向して配置されている。第１の接地用内部電極３ａは、第１の側面１ｅへの引出部３ａ１と第２の側面１ｆへの引出部３ａ２とを有しており、また、第２の接地用内部電極３ｂは、第１の側面１ｅへの引出部３ｂ１と第２の側面１ｆへの引出部３ｂ２とを有している。なお、一対の接地用内部電極３は、図４に示すように、第１の接地用内部電極３ａの端部３ａａが角部３ａｂと両側の角部３ａｂの間に位置する辺部３ａｃとからなり、第２の接地用内部電極３ｂの端部３ｂａが角部３ｂｂと両側の角部３ｂｂの間に位置する辺部３ｂｃとからなる。
【００２３】
このように、一対の接地用内部電極３は、第１の接地用内部電極３ａと第２の接地用内部電極３ｂとが一対となって、積層体１内の積層方向に対して直交する方向の同一平面内に所定間隔で互いに対向して配置されている。なお、同一平面内とは、同一の誘電体層１ｇ間にあることをいう。
【００２４】
第１の接地用内部電極３ａは、図３に示すように、積層方向から平面視して四角形状の主電極部を有しており、引出部３ａ１が四角形状の主電極部の第１の側面１ｅ側の辺部から第１の側面１ｅに延在して設けられており、引出部３ａ１の端部が第１の側面１ｅに露出するように第１の側面１ｅに引き出されている。
【００２５】
同様に、第１の接地用内部電極３ａは、図３に示すように、積層方向から平面視して四角形状の主電極部を有しており、引出部３ａ２が四角形状の主電極部の第２の側面１ｆ側の辺部から第２の側面１ｆに延在して設けられており、引出部３ａ２の端部が第２の側面１ｆに露出するように第２の側面１ｆに引き出されている。
【００２６】
また、第２の接地用内部電極３ｂは、図３に示すように、積層方向から平面視して四角形状の主電極部を有しており、引出部３ｂ１が四角形状の主電極部の第１の側面１ｅ側の辺部から第１の側面１ｅに延在して設けられており、引出部３ｂ１の端部が第１の側面１ｅに露出するように第１の側面１ｅに引き出されている。
【００２７】
同様に、第１の接地用内部電極３ｂは、図３に示すように、積層方向から平面視して四角形状の主電極部を有しており、引出部３ｂ２が四角形状の主電極部の第２の側面１ｆ側の辺部から第２の側面１ｆに延在して設けられており、引出部３ｂ２の端部が第２の側面１ｆに露出するように第２の側面１ｆに引き出されている。
【００２８】
このように、一対の接地用内部電極３は、第１の接地用内部電極３ａと第２の接地用内部電極３ｂとが、間隙を介して互いに対向するように配置されており、同一平面内の中央部の領域に対向部を有している。第１の接地用内部電極３ａの引出部３ａ１および引出部３ａ２は、図３に示すように、対向部に近接して設けられており、また、第２の接地用内部電極３ｂの引出部３ｂ１および引出部３ｂ２は、同様に、対向部に近接して設けられている。
【００２９】
また、第１の接地用内部電極３ａと第２の接地用内部電極３ｂとは、例えば、２０（μｍ）〜２００（μｍ）の間隔を介して互いに対向して配置されている。
【００３０】
また、信号用内部電極２は、図４に示すように、積層方向から平面視して、一対の接地用内部電極３間の領域と重なる部分に凹部２ａを有している。すなわち、信号用内部電極２は、図４に示すように、積層方向に直交する方向からみて、一対の接地用内部電極３の端部３ａａと端部３ｂａとの間の領域に対応する部分が凹んでおり、幅方向（Ｘ方向）にわたって凹部２ａを有している。なお、信号用内部電極２の凹部２ａは、一対の接地用内部電極３の端部３ａａと３ｂａとの間の領域の大きさに応じて形成される。すなわち、凹部２ａの幅方向（Ｘ方向）の長さおよび深さは、一対の接地用内部電極３の端部３ａａと３ｂａとの間の領域の大きさに応じて形成されることになる。
【００３１】
接地用内部電極３の導電材料は、例えば、ニッケル（Ｎｉ）、銅（Ｃｕ）、銀（Ａｇ）、パラジウム（Ｐｄ）または金（Ａｕ）等の金属材料、あるいは、これらの金属材料の一種以上を含む、例えば、Ａｇ−Ｐｄ合金等の合金材料である。第１〜第４の接地用電極２ａ、２ｂ、３ａ、３ｂは、同一の金属材料または合金材料によって形成することが好ましい。また、第１の接地用内部電極２および第２の接地用内部電極３は、厚みが、例えば、０．５（μｍ）〜２（μｍ）である。また、信号用内部電極２および接地用内部電極３は
、同一の金属材料または合金材料によって形成することが好ましい。
【００３２】
積層型コンデンサ１０は、積層体１内において、図２（ａ）および図３に示すように、信号用内部電極２と、一対の接地用内部電極３と、信号用内部電極２と、一対の接地用内部電極３とが上から順に交互に配置されており、それぞれの内部電極の層間には誘電体層１ｇがそれぞれ配置されている。すなわち、信号用内部電極２と、一対の接地用内部電極３と、信号用内部電極２と、一対の接地用内部電極３とは、積層体１内において誘電体層１ｇで隔てられかつ互いに対向して配置されており、これらの内部電極間には少なくとも１層の誘電体層１ｇがそれぞれ挟まれており、これらの内部電極が形成された誘電体層１ｇが複数枚積層されて積層型コンデンサ１０の積層体１が形成される。
【００３３】
また、積層型コンデンサ１０は、図２（ａ）および図３においては、信号用内部電極２と、一対の接地用内部電極３と、信号用内部電極２と、一対の接地用内部電極３とが上から順に交互に配置されており、Ｚ方向における最外層（上面側および下面側）がそれぞれ信号用内部電極２となっている。また、積層型コンデンサ１０は、図２（ａ）に示すような積層構成に限定されない。信号用内部電極２および一対の接地用内部電極３のそれぞれの積層数は、積層型コンデンサ１０の特性等に応じて適宜設計される。
【００３４】
また、積層型コンデンサ１０Ａは、図２（ｂ）に示すように、積層構成として、一対の接地用内部電極３と、信号用内部電極２と、一対の接地用内部電極２と、信号用内部電極２とが上から順に交互に配置され、Ｚ方向における上面側の最外層が一対の接地用内部電極３であり、下面側の最外層が一対の接地用内部電極３であってもよい。このように、積層型コンデンサ１０Ａは、上面側および下面側の最外層の内部電極に、一対の接地用内部電極２をそれぞれ配置することによって、一対の接地用内部電極３が外部からの電界等を遮るのでシールド効果を向上させることができる。
【００３５】
したがって、積層型コンデンサ１０Ａは、上面側および下面側の最外層の内部電極が一対の接地用内部電極２（第１の接地用内部電極３ａおよび第２の接地用内部電極３ｂ）で構成されており、一対の接地用内部電極２によってシールド効果が得られ、例えば、入力耐性以上のノイズまたは静電気による放電等の外乱ノイズの影響を効果的に低減することができる。
【００３６】
接地用外部端子４は、第１の側面１ｅおよび第２の側面１ｆにそれぞれ配置されており、接地用内部電極３に電気的に接続されている。積層型コンデンサ１０は、接地用外部端子４が第１〜第４の接地用外部端子４ａ、４ｂ、４ｃ、４ｄからなり、図１に示すように、積層体１の互いに対向する第１の側面１ｅおよび第２の側面１ｆにそれぞれ配置されている。第１の接地用外部端子４ａおよび第３の接地用外部端子４ｃが第１の側面１ｃにそれぞれ配置されており、第２の接地用外部端子４ｂおよび第４の接地用外部端子４ｄが第２の側面１ｆにそれぞれ配置されている。第１〜第４の接地用外部端子４ａ、４ｂ、４ｃ、４ｄは、それぞれの端部が積層体１の上面（第１の主面１ａ）および下面（第２の主面１ｂ）に延在するように設けられている。
【００３７】
また、第１の接地用外部端子４ａと第２の接地用外部端子４ｂとが電気的に接続され、また、第３の接地用外部端子４ｃｂと第４の接地用外部端子４ｄとが電気的に接続されている構成であってもよい。例えば、第１の接地用外部端子４ａと第２の接地用外部端子４ｂとが積層体１の上面（第１の主面１ａ）または下面（第２の主面１ｂ）の一方で繋がり、第３の接地用外部端子４ｃｂと第４の接地用外部端子４ｄとが積層体１の上面（第１の主面１ａ）または下面（第２の主面１ｂ）の一方で繋がっている構成であってもよく、また、接地用外部端子４は、第１の接地用外部端子４ａおよび第２の接地用外部端子４ｂが、また、第３の接地用外部端子４ｃおよび第４の接地用外部端子４ｄが積層体１の上面（
第１の主面１ａ）および下面（第２の主面１ｂ）の両方において繋がっている構成であってもよい。
【００３８】
第１の接地用外部端子４ａは、第１の接地用内部電極３ａの引出部３ａ１に接続され、第２の接地用外部端子４ｂは、第１の接地用内部電極３ａの引出部３ａ２ａに接続されている。また、第３の接地用外部端子４ｃは、第２の接地用内部電極３ｂの引出部３ｂ１に接続され、第４の接地用外部端子４ｄは、第２の接地用内部電極３ｂの引出部３ｂ２に接続されている。
【００３９】
また、第１の接地用外部端子４ａは、引出部３ａ１の第１の側面１ｅへの露出部を覆うように設けられており、第２の接地用外部端子４ｂは、引出部３ａ２の第２の側面１ｆへの露出部を覆うように設けられている。また、第３の接地用外部端子４ｃは、引出部３ｂ１の第１の側面１ｅへの露出部を覆うように設けられており、第４の接地用外部端子４ｄは、引出部３ｂ２の第２の側面１ｆへの露出部を覆うように設けられている。
【００４０】
そして、接地用外部端子４は、図１に示すように、引出部３ａ１、３ａ２、３ｂ１、３ｂ２を覆うように形成されているとともに、積層体１において、第１および第２の側面１ｅ、１ｆから第１および第２の主面１ａ、１ｂの表面にそれぞれ延在して形成されている。
【００４１】
具体的には、接地用外部端子４（第１〜第４の接地用外部端子４ａ〜４ｄ）は、図１に示すように、積層体１の表面（主面および側面）に形成されており、下地電極とめっき層とを含んでおり、めっき層は、下地電極を覆うように下地電極の表面上に形成されている。なお、めっき層は、はんだ接合のために、下地電極を覆うように下地電極の表面上に形成されており、接地用外部端子４をリフロー工法等により容易かつ確実にはんだを介して基板のパッド等に実装するためのものであり、また、下地電極の保護または積層型コンデンサ１０の実装性の向上等のためのものである。
【００４２】
また、積層型コンデンサ１０の第１〜第４の接地用外部端子４ａ、４ｂ、４ｃ、４ｄは、例えば、積層型コンデンサ１０が搭載される回路基板（図示せず）上のグランド（接地）用パッドにそれぞれ接続されることになる。
【００４３】
接地用外部端子４の下地電極の導電材料は、例えば、ニッケル（Ｎｉ）、銅（Ｃｕ）、銀（Ａｇ）、パラジウム（Ｐｄ）または金（Ａｕ）等の金属材料、あるいは、これらの金属材料の一種以上を含む、例えば、Ａｇ−Ｐｄ合金等の合金材料である。
【００４４】
下地電極は、第１および第２の主面１ａ、１ｂにおける厚みが、例えば、４（μｍ）〜１０（μｍ）であり、第１および第２の側面１ｅ、１ｆにおける厚みが、例えば、４（μｍ）〜１０（μｍ）である。
【００４５】
一対の外部電極５は、互いに対向する第１の外部電極５ａと第２の外部電極５ｂとからなり、第１の端面１ｃおよび第２の端面１ｄにそれぞれ配置されている。積層型コンデンサ１０は、図２に示すように、第１の外部電極５ａが第１の端面１ｃに設けられ、また、第２の外部電極５ｂが第１の端面１ｄに設けられており、第１の外部電極５ａおよび第２の外部電極５ｂは信号用内部電極２にそれぞれ接続されている。
【００４６】
このように、一対の外部電極５は、第１の外部電極５ａと第２の外部電極５ｂとからなり、第１および第２の端面１ｃ、１ｄを覆うように形成されており、第１の外部電極５ａと第２の外部電極５ｂとが互いに対向するように配置されている。そして、一対の外部電極５は、図１に示すように、第１および第２の端面１ｃ、１ｄを覆うように形成されてい
るとともに、積層体１において、第１および第２の端面１ｃ、１ｄから第１および第２の主面１ａ、１ｂの表面にそれぞれ延在して形成されており、また、第１および第２の端面１ｃ、１ｄから第１および第２の側面１ｅ、１ｆの表面にそれぞれ延設して形成されている。
【００４７】
具体的には、一対の外部電極５（第１の外部電極５ａおよび第２の外部電極５ｂ）は、図１に示すように、積層体１の表面（端面、主面および側面）に形成されており、下地電極とめっき層とを含んでおり、めっき層は、下地電極を覆うように下地電極の表面上に形成されている。なお、めっき層は、はんだ接合のために、下地電極を覆うように下地電極の表面上に形成されており、一対の外部電極５をリフロー工法等により容易かつ確実にはんだを介して基板のパッド等に実装するためのものであり、また、下地電極の保護または積層型コンデンサ１０の実装性の向上等のためのものである。
【００４８】
外部電極５の下地電極の導電材料は、例えば、ニッケル（Ｎｉ）、銅（Ｃｕ）、銀（Ａｇ）、パラジウム（Ｐｄ）または金（Ａｕ）等の金属材料、あるいは、これらの金属材料の一種以上を含む、例えば、Ａｇ−Ｐｄ合金等の合金材料である。また、一対の金属層４ｇは、同一の金属材料または合金材料によって形成することが好ましい。
【００４９】
下地電極は、第１および第２の主面１ａ、１ｂにおける厚みが、例えば、４（μｍ）〜１０（μｍ）であり、第１および第２の端面１ｃ、１ｄにおける厚みが、例えば、１０（μｍ）〜２５（μｍ）であり、第１および第２の側面１ｅ、１ｆにおける厚みが、例えば、４（μｍ）〜１０（μｍ）である。
【００５０】
接地用外部端子４および外部電極５のめっき層は、単一のめっき層から形成されていてもよいが、第１のめっき層と第２のめっき層とを備えていてもよい。第１のめっき層は、下地電極を覆うように形成されており、第２のめっき層は、第１のめっき層を覆うように第１のメッキ層の表面上に形成されている。めっき層は、例えば、ニッケル（Ｎｉ）めっき層、銅（Ｃｕ）めっき層、金（Ａｕ）めっき層またはスズ（Ｓｎ）めっき層等の１層または複数層のめっき層で形成されている。第１のめっき層は、厚みが、例えば、５（μｍ）〜１０（μｍ）であり、第２のめっき層は、厚みが、例えば、３（μｍ）〜５（μｍ）である。積層型コンデンサ１０において、めっき層は、例えば、第１のめっき層がニッケル（Ｎｉ）めっき層であり、第２のめっき層がスズ（Ｓｎ）めっき層である。
【００５１】
積層型コンデンサ１０は、積層型コンデンサ１０が搭載される回路基板（図示せず）上の、例えば、信号ライン用電極または電流ライン用電極等に、信号用内部電極２が接続されることになる。
【００５２】
積層型コンデンサ１０は、信号用内部電極２がＹ方向（第１の端面１ｃおよび第２の端面１ｄの方向）に延びて配置されており、この信号用内部電極２で信号を伝達する経路を構成している。また、積層型コンデンサ１０は、積層体１内の上下方向（積層方向）において、信号用内部電極２と第１の接地用内部電極３ａとで容量を構成しており、また、信号用内部電極２と第２の接地用内部電極３ｂとで容量を構成している。
【００５３】
また、積層型コンデンサ１０は、一対の接地用内部電極３が信号用内部電極２を間に挟んでＺ方向（積層方向）にそれぞれ配置されており、信号用内部電極２に対して交差する方向（第１の側面１ｅおよび第２の側面１ｆ）に引出部３ａ１、３ａ２、３ｂ１、３ｂ２が延びている。そして、積層型コンデンサ１０は、引出部３ａ１、３ａ２、３ｂ１、３ｂ２が第１〜第４の接地用外部端子４ａ、４ｂ、４ｃ、４ｄにそれぞれ接続されており、第１の接地用内部電極３ａおよび第２の接地用内部電極３ｂでグランドに電流を流す経路を構成している。
【００５４】
このように、積層型コンデンサ１０は、積層体１内の同一平面内に第１の接地用内部電極３ａおよび第２の接地用内部電極３ｂが間隙を介して互い対向して配置されており、第１の接地用内部電極３ａが引出部３ａ１と引出部３ａ２とを有しており、また、第２の接地用内部電極３ｂが引出部３ｂ１と引出部３ｂ２とを有している。また、第１の接地用内部電極３ａは、引出部３ａ１が第１の側面１ｅに引き出されており、引出部３ａ２が第１の側面１ｅに対向する第２の側面１ｄに引き出されており、引出部３ａ１と引出部３ａ２とが互いに対向して設けられているので、引出部３ａ１と引出部３ａ２とにおいて、引出部３ａ１に向かって流れる電流と引出部３ａ２に向かって流れる電流が互いに逆方向に流れるようになる。
【００５５】
また、第２の接地用内部電極３ｂは、引出部３ｂ１が第１の側面１ｅに引き出されており、引出部３ｂ２が第１の側面１ｅに対向する第２の側面１ｄに引き出されており、引出部３ｂ１と引出部３ｂ２とが互いに対向して設けられているので、引出部３ｂ１と引出部３ｂ２とにおいて、引出部３ｂ１に向かって流れる電流と引出部３ｂ２に向かって流れる電流が互いに逆方向に流れるようになる。
【００５６】
積層型コンデンサ１０は、第１の接地用内部電極３ａの引出部３ａ１および引出部３ａ２と第２の接地用内部電極３ｂの引出部３ｂ１および引出部３ｂ２とからなる経路を介してグランドに電流が流れるようになっている。したがって、積層型コンデンサ１０は、これらの経路を介してグランドに電流が流れるので、相互インダクタンスを互いに打ち消しあうことができる。
【００５７】
このように、積層型コンデンサ１０は、第１の接地用内部電極３ａにおいて、電流が相互に逆方向に流れるように、引出部３ａ１と引出部３ａ２とが対向して配置されており、このような構成にすることによって、グランドに流れる電流が逆方向となるので、発生する磁界方向が互いに逆方向になり、相互誘導効果により、等価直列インダクタンス（ＥＳＬ）を小さくすることができる。また、同様に、積層型コンデンサ１０は、第２の接地用内部電極３ｂにおいて、電流が相互に逆方向に流れるように、引出部３ｂ１と引出部３ｂ２とが対向して配置されており、このような構成にすることによって、グランドに流れる電流が逆方向となるので、発生する磁界方向が互いに逆方向になり、相互誘導効果により、等価直列インダクタンス（ＥＳＬ）を小さくすることができる。
【００５８】
さらに、一対の接地用内部電極３は、図４に示すように、対向するそれぞれの端部３ａａおよび端部３ｂａが信号用内部電極２に近づくように、第１の主面１ａまたは第２の主面１ｂに向かって傾いている。すなわち、一対の接地用内部電極３の対向部において、端部３ａａおよび端部３ｂａは、互いに下方に向かって傾いて設けられており、積層方向に直交する方向からみて、図４に示すように、下方の信号用内部電極２に向かって湾曲している。
【００５９】
具体的には、積層型コンデンサ１０では、第１の接地用内部電極３ａと第２の接地用内部電極３ｂとが間隙を介して対向する対向部において、端部３ａａと端部３ｂａとが、下方に位置する信号用内部電極２に近づくように下方の第２の主面１ｂの方向に向かって傾いている。また、端部３ａａおよび端部３ｂａの傾き角度αは、図４に示すように、例えば、５（°）〜２０（°）である。なお、傾き角度αは、大きくなるにつれて信号用内部電極２に近づくことになるが、信号用内部電極２と接地用内部電極３との短絡等を考慮して適宜設定される。
【００６０】
上述したように、積層型コンデンサ１０は、同一平面内において、第１の接地用内部電極３ａ内で相互に電流が逆方向に流れており、また、第２の接地用内部電極３ｂ内で相互
に電流が逆方向に流れているので、積層体１内で磁界を相殺するような作用が生じることになる。したがって、積層型コンデンサ１０は、同一平面内において、第１の接地用内部電極３ａ内で相互に電流が逆方向に流れており、第２の接地用内部電極３ｂ内で相互に電流が逆方向に流れるので、グランドに流れる電流が逆方向となるので発生する磁界方向が互いに逆方向になり、相互誘導効果により、等価直列インダクタンス（ＥＳＬ）を小さくすることができる。
【００６１】
さらに、第１の接地用内部電極３ａおよび第２の接地用内部電極３ｂは、対向部に位置する端部３ａａおよび端部３ｂａがそれぞれ下方に位置する信号用内部電極２に近づくように第２の主面１ｂに向かって傾いている。接地用内部電極３の端部３ａａと端部３ｂａとの間の領域において、接地用内部電極３の端部３ａａおよび端部３ｂａは拘束されておらず、一方、接地用内部電極３の端部３ａａと端部３ｂａとの間に対応する領域において、信号用内部電極２は拘束されている。積層されたセラミックグリーンシートをプレス加工して積層体を作製する場合に、信号用内部電極２と一対の接地用内部電極３との間の誘電体層１ｇは、プレスの加圧方向に変形することになり、接地用内部電極３の端部３ａａおよび端部３ｂａは拘束されておらず、一方、信号用内部電極２は拘束されているので、下端部３ａａおよび端部３ｂａの下方（第２の主面１ｂ）への傾きが信号用内部電極２の凹部２ａの凹みよりも大きくなる。したがって、第１の接地用内部電極３ａの端部３ａａおよび第２の接地用内部電極３ｂの端部３ｂａは、信号用内部電極２に近づくことになる。
【００６２】
例えば、図４に示すように、一対の接地用内部電極３は、信号用内部電極２に近づくように設けられているので、信号用内部電極２に入ったノイズ成分を第１の接地用内部電極３ａの端部３ａａおよび第２の接地用内部電極３ｂの端部３ｂａを介してグランドに効果的に逃がすことができる。
【００６３】
したがって、積層型コンデンサ１０は、磁界の相殺作用によって、インダクタンスが低下して、等価直列インダクタンス（ＥＳＬ）を小さくすることができる。このように、積層型コンデンサ１０は、ＥＳＬが小さくなり、共振周波数を高周波数域側にシフトさせることができるので、高周波数域のノイズを効果的に低減することができる。
【００６４】
積層型コンデンサ１０は、例えば、回路基板（図示せず）の信号ラインまたは電源ライン等に接続する場合には、第１の外部電極５ａを信号ラインまたは電源ラインの入力端に接続し、また、第２の外部電極５ｂを信号ラインまたは電源ラインの出力端に接続するとともに、第１〜第４の接地用外部端子４ａ、４ｂ、４ｃ、４ｄをそれぞれ接地端（グランド）に接続して、信号ラインまたは電源ラインの高周波ノイズを低減することができる。この場合には、例えば、ノイズを低減したい信号ラインまたは電源ライン等のパターンはカットされており、積層型コンデンサ１０は、カットされたパターンの部分に第１の外部電極５ａと第２の外部電極５ｂとがそれぞれ接続されている。
【００６５】
また、同様に、積層型コンデンサ１０は、等価直列インダクタンス（ＥＳＬ）が低減されるので、例えば、ＣＰＵの駆動電源ラインまたは信号ラインに接続することによって、駆動電源ラインまたは信号ラインの高周波数域のノイズを低減することができる。例えば、積層型コンデンサ１０は、第１の外部電極５ａおよび第２の外部電極５ｂを回路基板上の電源ラインまたは信号ラインに対して並列（回路上同電位）となるように接続するとともに、第１〜第４の接地用外部端子４ａ、４ｂ、４ｃ、４ｄを接地端（グランド）に接続して、電源ラインまたは信号ラインの高周波ノイズを低減することができる。この場合には、例えば、ノイズを低減したい電源ラインまたは信号ラインのパターンはカットされておらず、積層型コンデンサ１０は、第１の外部電極５ａおよび第２の外部電極５ｂが電源ラインまたは信号ラインに対して並列に接続されている。
【００６６】
また、積層型コンデンサ１００は、図６に示すように、信号用内部電極２Ａが積層体１内に形成されて、平面視において長方形状であり、一対の接地用内部電極３間に配置されて、積層体１の第１の端面１ｃおよび第２の端面１ｄのうちの一方の端面に引き出されていてもよい。すなわち、信号用内部電極２Ａは、第１の側面１ｅおよび第２の側面１ｆに対して内側に位置するように設けられており、Ｙ方向の端部が第１の端面１ｃおよび第２の端面１ｄのどちらか一方の端面に露出するようにＹ方向に延びるように積層体１内に配置させてもよい。すなわち、信号用内部電極２Ａは、第１の端面１ｃおよび第２の端面１ｄの一方の端面に露出するように設けられているとともに、第１の側面１ｅおよび第２の側面１ｆに露出しないように設けられている。
【００６７】
このように、積層型コンデンサ１００は、上述したように信号用内部電極２が一方の端面のみに引き出されており、このような構成にすることによって、例えば、回路基板（図示せず）の信号ラインまたは電源ライン等に接続する場合には、第１の外部電極５ａおよび第２の外部電極５ｂを信号ラインまたは電源ライン上に接続するとともに、第１〜第４の接地用外部端子４ａ、４ｂ、４ｃ、４ｄを接地端（グランド）に接続して、信号ラインまたは電源ラインの高周波ノイズを低減することができる。この場合には、例えば、ノイズを低減したい電源ラインまたは信号ラインのパターンはカットされておらず、ラインのパターン上に、第１の外部電極５ａおよび第２の外部電極５ｂが接続されている。
【００６８】
また、同様に、積層型コンデンサ１００は、例えば、第１の外部電極５ａおよび第２の外部電極５ｂを回路基板上の電源ラインまたは信号ラインに対して並列（回路上同電位）となるように接続するとともに、第１〜第４の接地用外部端子４ａ、４ｂ、４ｃ、４ｄを接地端（グランド）に接続して、電源ラインまたは信号ラインの高周波ノイズを低減することができる。この場合には、ノイズを低減したい電源ラインまたは信号ラインのパターンはカットされておらず、第１の外部電極５ａおよび第２の外部電極５ｂが電源ラインに対して並列に接続されている。
【００６９】
ここで、図１に示している積層型コンデンサ１０の製造方法の一例について説明する。
【００７０】
複数の第１〜第３のセラミックグリーンシートを準備する。第１のセラミックグリーンシートは、信号用内部電極２が形成されるものであり、第２のセラミックグリーンシートは、一対の接地用内部電極３が形成されるものである。
【００７１】
複数の第１のセラミックグリーンシートは、信号用内部電極２を形成するために、セラミックグリーンシート上に、信号用内部電極２のパターン形状を信号用内部電極２用の導体ペースト用いて信号用内部電極導体ペースト層が形成される。なお、第１のセラミックグリーンシートは、多数個の積層型コンデンサ１０を得るために、１枚のセラミックグリーンシート内に複数の信号用内部電極２が形成される。
【００７２】
また、複数の第２のセラミックグリーンシートは、一対の接地用内部電極３を形成するために、セラミックグリーンシート上に、一対の接地用内部電極３（第１の接地用内部電極３ａおよび第２の接地用内部電極３ｂ）のパターン形状を所定の間隔をもって配列して、接地用内部電極３用の導体ペースト用いて一対の接地用内部電極導体ペースト層が形成される。なお、第２のセラミックグリーンシートは、多数個の積層型コンデンサ１０を得るために、１枚のセラミックグリーンシート内に複数の一対の接地用内部電極３が形成される。
【００７３】
上述の信号用内部電極導体ペースト層および接地用内部電極導体ペースト層は、例えば、スクリーン印刷法等を用いて、セラミックグリーンシート上に、それぞれの導体ペース
トを所定のパターン形状で印刷して形成する。
【００７４】
なお、第１および第２のセラミックグリーンシートは誘電体層１ｇとなり、信号用用内部電極導体ペースト層は信号用内部電極２となり、接地用内部電極導体ペースト層は接地用内部電極３となる。
【００７５】
誘電体層１ｇとなるセラミックグリーンシートの材料としては、例えば、チタン酸バリウム（ＢａＴｉＯ３）、チタン酸カルシウム（ＣａＴｉＯ３）、チタン酸ストロンチウム（ＳｒＴｉＯ３）またはジルコン酸カルシウム（ＣａＺｒＯ３）等の誘電体セラミックスを主成分とするものである。副成分として、例えば、Ｍｎ化合物、Ｆｅ化合物、Ｃｒ化合物、Ｃｏ化合物またはＮｉ化合物等が添加されたものであってもよい。
【００７６】
第１および第２のセラミックグリーンシートは、誘電体セラミックスの原料粉末および有機バインダに適当な有機溶剤等を添加し混合することによって泥漿状のセラミックスラリーを作製して、ドクターブレード法等を用いてセラミックスラリーを成形することによって得られる。
【００７７】
信号用内部電極２用の導体ペーストおよび接地用内部電極３用の導体ペーストは、上述したそれぞれの内部電極の導体材料（金属材料）の粉末に添加剤（誘電体材料）、バインダ、溶剤、分散剤等を加えて混練することで作製される。信号用内部電極２および接地用内部電極３の導電材料は、例えば、ニッケル（Ｎｉ）、銅（Ｃｕ）、銀（Ａｇ）、パラジウム（Ｐｄ）または金（Ａｕ）等の金属材料あるいはこれらの金属材料の一種以上を含む、例えば、Ａｇ−Ｐｄ合金等の合金材料が挙げられる。信号用内部電極２および接地用内部電極３は、同一の金属材料または合金材料によって形成することが好ましい。
【００７８】
第１のセラミックグリーンシートは、信号用内部電極２が形成されており、第２のセラミックグリーンシートは接地用内部電極３が形成されており、これらの第１のセラミックグリーンシートと第２のセラミックグリーンシートとを交互に複数積層して、内部電極が形成されていないセラミックグリーンシートを積層方向の最外層にそれぞれ積層することによって、セラミック材料からなる積層体を作製する。
【００７９】
このように、複数の第１および第２のセラミックグリーンシートからなる積層体は、プレスして一体化することで、多数個の生積層体１を含む大型の生積層体となる。この大型の生積層体を切断することによって、図１に示すような積層型コンデンサ１０の積層体１となる生積層体１を得ることができる。大型の生積層体の切断は、例えば、ダイシングブレード等を用いて行なうことができる。
【００８０】
積層型コンデンサ１０では、一対の接地用内部電極３は、対向するそれぞれの端部が信号用内部電極２に近づくように第１の主面１ａまたは第２の主面１ｂに向かって傾いている。ここで、一対の接地用内部電極３の端部３ａａおよび端部３ｂａを傾かせる方法について以下に説明する。
【００８１】
複数のセラミックグリーンシートを積層する際に、積層用の台板上に、例えば、ペットフィルムを配置して、まず、ペットフィルム上に内部電極が形成されていないセラミックグリーンシートを載置する。そして、第１のセラミックグリーンシートと第２のセラミックグリーンとを交互に複数層積層して、最後に、内部電極が形成されていないセラミックグリーンシートを載置して積層体とし、この積層体の上面に、例えば、ペットフィルムを配置する。ここでは、積層体の下面が第２の主面１ｂであるとする。
【００８２】
次に、上述の積層体（ペットフィルムを含む）に対して仮プレスを行なう。仮プレスは
、積層されたセラミックグリーンシート間のエアーの脱気または積層されたセラミックグリーンシート同士の密着のために行なう。そして、仮プレス後に、静水圧プレスを用いて、仮プレスされた積層体（ペットフィルムを含む）を加圧する。この加圧時に、第２のセラミックグリーンシートにおいて、接地用内部電極３の非印刷部（第１の接地用内部電極３ａと第２の接地用内部電極３ｂとの間の領域）が静水圧プレスの加圧方向に変形するとともに、接地用内部電極３の印刷部（第１の接地用内部電極３ａの端部３ａａおよび第２の接地用内部電極の端部３ｂａ）が互いに対向するそれぞれの端部に向かうように延伸変形することにより、接地用内部電極３は、端部３ａａおよび端部３ｂａが下方の信号用内部電極２に近づくように第２の主面に向かって傾くことになる。なお、端部３ａａおよび端部３ｂａは、例えば、静水圧プレスの加圧時の圧力を調整することによって、所望の傾き角度にすることができる。
【００８３】
また、信号用内部電極２は、第１の接地用内部電極３ａと第２の接地用内部電極３ｂとの間の領域に対応する部分が凹んで凹部２ａを有することになる。したがって、静水圧プレスを用いて積層体を加圧することによって、接地用内部電極３は、端部３ａａおよび端部３ｂａが信号用内部電極２に近づくように第２の主面に向かって傾くことになり、信号用内部電極２は、一対の接地用内部電極３の端部３ａａと端部３ｂａとの間の領域に対向する部分に凹部２ａを有することになる。
【００８４】
また、後述するように（実施の形態２）、接地用内部電極３は、対向部の端部３ａａの角部３ａｂが辺部３ａｃよりも、また、端部３ｂａの角部３ｂｂが辺部３ｂｃよりもさらに第１の主面１ａまたは第２の主面１ｂに近づくように設けられており、このような場合にも、例えば、静水圧プレスの加圧時の圧力で調整することができる。また、接地用内部電極３は、角部３ａｂおよび角部ｂｂが拘束されていないので、辺部３ａｃおよび辺部３ｂｃよりも下方に向かって傾きやすく、信号用内部電極２にさらに近づきやすくなる。
【００８５】
そして、積層体１は、生積層体１を、例えば、８００（℃）〜１３００（℃）で焼成することによって得ることができる。この工程によって、複数の第１および第２のセラミックグリーンシートが誘電体層１ｇとなり、信号用内部電極導体ペースト層が信号用内部電極２となり、接地用内部電極導体ペースト層が接地用内部電極３となる。また、積層体１は、例えば、バレル研磨等の研磨手段を用いて角部または辺部を丸めることができる。積層体１は、角部または辺部を丸めることにより角部または辺部が欠けにくいものとなる。
【００８６】
次に、積層体１の第１の端面１ｃおよび第２の端面１ｄに外部電極５の下地電極となる外部電極５用の導電ペーストを塗布し、焼き付けることにより外部電極５の下地電極を形成する。また、下地電極用の導電ペーストは、上述した下地電極を構成する金属材料の粉末にバインダ、溶剤、分散剤等を加えて混練することで作製される。
【００８７】
また、下地電極用の導電ペーストは、下地電極を構成する金属材料の粉末にバインダ、溶剤、分散剤等を加えて混練することで作製される。なお、下地電極の導電材料は、例えば、ニッケル（Ｎｉ）、銅（Ｃｕ）、銀（Ａｇ）、パラジウム（Ｐｄ）または金（Ａｕ）等の金属材料、あるいは、これらの金属材料の一種以上を含む、例えば、Ａｇ−Ｐｄ合金等の合金材料である。また、下地電極の形成は、導体ペーストを焼き付ける方法を用いる以外に、蒸着法、めっき法またはスパッタリング法等の薄膜形成法を用いて行なってもよい。
【００８８】
同様に、積層体１の第１の側面１ｅおよび第２の側面１ｆに接地用外部端子４の下地電極となる接地用外部端子４用の導電ペーストを塗布し、焼き付けることにより接地用外部端子４の下地電極を形成する。また、下地電極用の導電ペーストは、上述した接地用外部端子４を構成する金属材料の粉末にバインダ、溶剤、分散剤等を加えて混練することで作
製される。
【００８９】
次に、外部電極５およぶ外部接地用端子４の下地電極を覆うように下地電極の表面にめっき層を形成する。めっき層は、例えば、電解めっき法等を用いて、下地電極の表面に形成する。めっき層は、例えば、ニッケル（Ｎｉ）めっき層、銅（Ｃｕ）めっき層、金（Ａｕ）めっき層またはスズ（Ｓｎ）めっき層等の１層のめっき層または複数層のめっき層である。めっき層は、単一のめっき層から形成されていてもよいが、積層型コンデンサ１０は、めっき層が第１のめっき層と第２のめっき層とからなり、これらの積層体を表面に形成している。積層型コンデンサ１０は、例えば、第１のめっき層がニッケル（Ｎｉ）めっき層からなり、第２のめっき層が錫（Ｓｎ）めっき層からなり、第２のめっき層の錫（Ｓｎ）めっき層が第１のめっき層のニッケル（Ｎｉ）めっき層を覆うように形成される。
【００９０】
このような工程を経ることによって、積層型コンデンサ１０は、一対の接地用内部電極３の対向するそれぞれの端部３ａａ、３ｂａが信号用内部電極２に近づくように第１の主面１ａまたは第２の主面１ｂに向かって傾くことになる。
【００９１】
本発明は、上述の実施の形態１の積層型コンデンサ１０に限定されるものではなく、本発明の要旨を逸脱しない範囲において種々の変更、改良等が可能である。以下、他の実施の形態について以下に説明する。なお、他の実施の形態に係る積層型コンデンサのうち、実施の形態１に係る積層型コンデンサ１０と同様な部分については、同一の符号を付して適宜説明を省略する。
【００９２】
＜実施の形態２＞
以下、本発明の実施の形態２に係る積層型コンデンサ１０Ｂについて図面を参照しながら以下に説明する。
【００９３】
積層型コンデンサ１０Ｂは、図５に示すように、第１の接地用内部電極３ａが角部３ａｂと両側の角部３ａｂの間に位置する辺部３ａｃとからなり、第２の接地用内部電極３ｂが角部３ｂｂと両側の角部３ｂｂの間に位置する辺部３ｂｃとからなる。
【００９４】
一対の接地用内部電極３は、端部３ａａおよび端部３ｂａの両側の角部３ａｂおよび角部３ｂｂがさらに信号用内部電極２に近づくように第１の主面１ｂまたは第２の主面に向かって傾いている。すなわち、図５に示すように、接地用内部電極３は、対向部の端部３ａａの角部３ａｂが辺部３ａｃよりも、また、端部３ｂａの角部３ｂｂが辺部３ｂｃよりもさらに第１の主面１ａまたは第２の主面１ｂに近づいている。
【００９５】
第１の接地用内部電極３ａおよび第２の接地用内部電極３ｂは、対向部に位置する端部３ａａの角部３ａｂおよび端部３ｂａの角部３ｂｂが下方に位置する信号用内部電極２にさらに近づくように第２の主面１ｂに向かって傾いているので、角部３ａｂおよび角部３ｂｂと信号用内部電極２との距離が短くなり、例えば、図５に示すように、上方の第１の接地用内部電極３ａの角部３ａｂおよび第２の接地用内部電極３ｂの角部３ｂｂを介して、信号用内部電極２に入ったノイズ成分をグランドに効果的に逃がすことができる。
【００９６】
また、第１の接地用内部電極３ａは、引出部３ａ１および引出部３ａ２が角部３ａｂに近接して設けられており、また、第２の接地用内部電極３ｂは、引出部３ｂ１および引出部３ｂ２が角部３ｂｂに近接して設けられているので、一対の接地用内部電極２は、上方の第１の接地用内部電極３ａの角部３ａｂから引出部３ａ１および引出部３ａ２を介して、また、第２の接地用内部電極３ｂの角部３ｂｂから引出部３ｂ１および引出部３ｂ２を介して、信号用内部電極２に入ったノイズ成分をグランドにさらに効果的に逃がすことができる。
【００９７】
本発明は、上述した実施の形態１および実施の形態２に特に限定されるものではなく、本発明の範囲内で種々の変更および改良が可能である。
【符号の説明】
【００９８】
１  積層体
１ａ  第１の主面
１ｂ  第２の主面
１ｃ  第１の端面
１ｄ  第２の端面
１ｅ  第１の側面
１ｆ  第２の側面
１ｇ  誘電体層
２、２Ａ  信号用内部電極
２ａ  凹部
３  接地用内部電極
３ａ  第１の接地用内部電極
３ａａ  端部
３ａｂ  角部
３ａｃ  辺部
３ｂ  第２の接地用内部電極
３ｂａ  端部
３ｂｂ  角部
３ｂｃ  辺部
４  接地用外部端子
５  外部電極
１０、１０Ａ、１０Ｂ、１００  積層型コンデンサ
【図１】
0006466690.tif 000002
【図２】
0006466690.tif 000003
【図３】
0006466690.tif 000004
【図４】
0006466690.tif 000005
【図５】
0006466690.tif 000006
【図６】
0006466690.tif 000007